(57)【特許請求の範囲】
【請求項１】
パレットと、前記パレット上に対向して立設される各々２枚の第１の側板及び第２の側板と、前記第１の側板と前記第２の側板とを連結するロック機構とを有する組み立て式コンテナであって、
前記ロック機構は、
前記第１の側板の側部近傍の上方に設置され、当該第１の側板の板面に沿って水平方向に移動可能であるとともに軸周りに回動可能な移動ロッド部と、前記移動ロッド部の一方の端部に当該移動ロッド部と略直角に形成され、前記移動ロッド部の移動に応じて当該第１の側板の側端面から外側に突出し前記第２の側板に係止されるフック部と、前記移動ロッド部の他方の端部に接続されるハンドル部とを有するロック金具と、
少なくとも前記ロック金具により前記第１の側板と前記第２の側板とが連結された状態において、前記ロック金具の前記ハンドル部が前記第１の側板の板面に略平行で当該板面に略密着した状態に維持されるように、前記ハンドル部の当該板面から離反する方向への移動を阻止するハンドル押え部とを有し、
前記第２の側板は、側面の少なくとも一部が、前記第１の側板と連結された場合に当該第１の側板と略平行に当該第１の側板の外面の側部近傍を覆うように突出する突出部に形成されており、当該突出部が、前記ハンドル部の前記第１の側板の板面から離反する方向への移動を阻止する前記ハンドル押え部であることを特徴とする組み立て式コンテナ。
【請求項２】
前記ロック金具の前記ハンドル部は、前記移動ロッド部の他方の端部に一方の端部が接続されて前記フック部と略平行に配置される接続部と、前記接続部の他方の端部に一方の端部が接続されて前記移動ロッド部と略平行に配置される把持部とを有し、
前記ハンドル押え部は、前記把持部の他方の端部を押え、前記ハンドル部の前記第１の側板の板面から離反する方向への移動を阻止することを特徴とする請求項１に記載の組み立て式コンテナ。
【請求項３】
前記ロック金具の前記ハンドル部の前記把持部の他方の端部の端面と周面との角部は、Ｃ面取りが施してあることを特徴とする請求項１又は２に記載の組み立て式コンテナ。
【発明の詳細な説明】
【技術分野】
【０００１】
本発明は、側板を折り込むことができる組み立て式コンテナに関し、特に、組み立て及び折り畳みが容易で、各側板の連結を安定的に行うことができ、胴膨れが生じた場合も側板の安全かつ安定した連結を維持することができる組み立て式コンテナに関する。
【背景技術】
【０００２】
所望の物品を収容し搬送等するコンテナとして、使用時にはパレット上に側板を立設して内部に物品を収容する内部収容空間を形成し、不使用時にはパレット上に側板を折り畳めるようにした組み立て式コンテナが広く使用されている（例えば、特許文献１参照）。組み立て式コンテナは、回送時や保管時にコンテナの容積を小さくすることができるので、繰り返し使用するコンテナにおいて非常に有効である。
パレット上に立設した側板の連結方法としては種々の方法が知られているが、例えば一方の側板の側面から先端がフック状に形成された棒状部材を突出させ、これを他方の側板の側面に形成された開口に係合することにより側板を順次連結する方法が知られている（例えば、特許文献２及び特許文献３参照）。このような方法であれば、組み立てや解体が簡単で作業効率のよいコンテナを提供できて好適である。
【先行技術文献】
【特許文献】
【０００３】
【特許文献１】特開２００２−２５５１６５号公報
【特許文献２】特開２００１−１３９０３１号公報
【特許文献３】特開２００１−２４０１８３号公報
【発明の概要】
【発明が解決しようとする課題】
【０００４】
ところで、特許文献２及び特許文献３に開示されているような側板を連結するための棒状部材は、通常、フックが形成されていない側の端部にハンドルが形成されており、このハンドルを操作することにより側板の連結や解除を行うようになっている。具体的には、ハンドルを操作することにより、棒状部材を側板面に沿って水平に軸方向移動させて係合位置や解除位置に移動させたり、棒状部材全体を回動させることによりフックも回動させてフックを係合状態や係合解除状態にしたりするようになっている。
【０００５】
そのためにこのような棒状部材においては、棒軸は、側板の外側面上部に、水平方向に軸方向移動自在で軸周りに回動自在に設置されている。また、ハンドルは、棒状部材が操作されない時には、フックが係合状態あるいは係合解除状態のいずれの場合も、側板の板面に沿う位置まで傾倒されて、その位置で側板に設置された係止手段に係止されるようになっており、自然にハンドルが回動して（起き上がってきて）側板の連結状態が解除されたりすることのないような構成となっている。
【０００６】
しかしながら、このような構成の組み立て式コンテナにおいては、内部収容空間に物品を満載した場合あるいは押し込んだ（詰め込んだ）場合等に、側板に内部から外部方向への相当の圧力がかかり、側板の中央部が外側に膨らんだいわゆる胴膨れと言われる状態となる場合がある。このような状態となると、棒状部材には、棒軸を中心としてハンドル先端部に側板から離れる方向の回転トルクが作用することとなり、その結果、係止手段の係止力に抗してハンドルが側板表面から起き上がってくる状態となる。すなわち、ハンドルが自然に起き上がり棒状部材が勝手に回動してしまう状態となる。
【０００７】
ハンドルが回動すると、これと一体的にフックも自然に回動することになるので、回動の程度によっては意図せずにフックの係合が解除されて側板同士の連結が外れる可能性がある。また、ハンドルが起き上がると、ハンドルの先端部は側板の表面から離れてコンテナの側面から飛び出た状態となり、周囲の物品に損傷を与えたり、作業者が安全に作業することができなくなる等の問題が生じる。
また、ハンドルの回動の程度は小さくとも、ハンドルが一旦係止手段による係止状態から外れてしまうと、その後ハンドルは容易に回動される状態となるので、コンテナ搬送中あるいは作業中のちょっとした振動や衝撃でもハンドルが回動してしまう可能性があり、前述したような危険な状態となる可能性が高くなる。
【０００８】
本発明はこのような課題に鑑みてなされたものであって、その目的は、取り扱いが容易で組み立てや折り畳みを容易かつ確実に行うことができる組み立て式コンテナであって、たとえ胴膨れ状態が生じたとしても、側板連結部材が自動的に解除されるような状態を防ぎ、各側板を安定的に連結することが可能で、また、安全性が高い、信頼性の高い組み立て式コンテナを提供することにある。
【課題を解決するための手段】
【０００９】
前記課題を解決するために、請求項１に係る本発明の組み立て式コンテナは、パレットと、前記パレット上に対向して立設される各々２枚の第１の側板及び第２の側板と、前記第１の側板と前記第２の側板とを連結するロック機構とを有する組み立て式コンテナであって、前記ロック機構は、前記第１の側板の側部近傍の上方に設置され、当該第１の側板の板面に沿って水平方向に移動可能であるとともに軸周りに回動可能な移動ロッド部と、前記移動ロッド部の一方の端部に当該移動ロッド部と略直角に形成され、前記移動ロッド部の移動に応じて当該第１の側板の側端面から外側に突出し前記第２の側板に係止されるフック部と、前記移動ロッド部の他方の端部に接続されるハンドル部とを有するロック金具と、少なくとも前記ロック金具により前記第１の側板と前記第２の側板とが連結された状態において、前記ロック金具の前記ハンドル部が前記第１の側板の板面に略平行で当該板面に略密着した状態に維持されるように、前記ハンドル部の当該板面から離反する方向への移動を阻止するハンドル押え部とを有することを特徴とする。
【００１０】
好適には、前記ロック金具の前記ハンドル部は、前記移動ロッド部の他方の端部に一方の端部が接続されて前記フック部と略平行に配置される接続部と、前記接続部の他方の端部に一方の端部が接続されて前記移動ロッド部と略平行に配置される把持部とを有し、前記ハンドル押え部は、前記把持部の他方の端部を押え、前記ハンドル部の前記第１の側板の板面から離反する方向への移動を阻止することを特徴とする。
【００１１】
また好適には、前記第２の側板は、側面の少なくとも一部が、前記第１の側板と連結された場合に当該第１の側板と略平行に当該第１の側板の外面の側部近傍を覆うように突出する突出部に形成されており、当該突出部が、前記ハンドル部の前記第１の側板の板面から離反する方向への移動を阻止する前記ハンドル押え部であることを特徴とする。
【００１２】
また好適には、前記ロック金具の前記ハンドル部の前記把持部の他方の端部の端面と周面との角部は、Ｃ面取りが施してあることを特徴とする。
【発明の効果】
【００１３】
本発明によれば、取り扱いが容易で組み立てや折り畳みを容易かつ確実に行うことができる組み立て式コンテナであって、たとえ胴膨れ状態が生じたとしても、側板連結部材が自動的に解除されるような状態を防ぎ、各側板を安定的に連結することが可能で、また、安全性が高い、信頼性の高い組み立て式コンテナを提供することができる。
【図面の簡単な説明】
【００１４】
【図１】図１は、本発明の一実施形態の組み立て式コンテナの全体構成を示す斜視図である。
【図２】図２は、図１に示した組み立て式コンテナの第１の側板の構成を示す図である。
【図３】図３は、図１に示した組み立て式コンテナの第２の側板の構成を示す図である。
【図４】図４（Ａ）及び図４（Ｂ）は、図１に示した組み立て式コンテナにおいて、第２の側板を下金枠（第２の枠部）に沿って立設させる状態を示す図である。
【図５】図５は、図１に示した組み立て式コンテナの側板ロック機構の構成及び動作を説明するための図であり、図５（Ａ）は第１の側板に設置された側板ロック機構のロック金具及びロック金具保持部の構成を示す図であり、図５（Ｂ）は図５（Ａ）に示されたロック金具保持部を図５（Ａ）のＸの方向から見た図である。
【図６】図６は、図１に示した組み立て式コンテナの側板ロック機構の構成及び動作を説明するための図であり、図６（Ａ）は側板ロック機構により第１の側板と第２の側板とが連結された状態を第１の側板の面方向から見た図であり、図６（Ｂ）は図６（Ａ）に示されたロック金具保持部を図６（Ａ）のＸの方向から見た図である。
【図７】図７（Ａ）は、図１に示した組み立て式コンテナの第１の側板と第２の側板とが連結されていない状態における側板ロック機構付近の構成を示す斜視図であり、図７（Ｂ）は第１の側板と第２の側板とが連結された状態における側板ロック機構付近の構成を示す斜視図である。
【図８】図８（Ａ）〜図８（Ｃ）は、各々、図１に示した組み立て式コンテナの第１の側板の横枠（左枠）のフック部通過口においてロック金具のフック部が回動している状態を示す図である。
【図９】図９は、本発明の他の実施形態としての、ロック金具のフック部が第１の側板の左枠から抜き出され第１の側板の面部材上に退避される形態の側板ロック機構を示す図であり、図９（Ａ）は第１の側板と第２の側板とが連結されていない状態の側板ロック機構付近の構成を示す斜視図であり、図９（Ｂ）は第１の側板と第２の側板とが連結された状態における側板ロック機構付近の構成を示す斜視図である。
【発明を実施するための形態】
【００１５】
本発明の組み立て式コンテナの一実施形態について、図１〜図８を参照して説明する。
まず、本実施形態の組み立て式コンテナ１の全体構成について、図１〜図４を参照して説明する。
図１は、組み立て式コンテナ１の全体構成を示す斜視図であり、図２は、組み立て式コンテナ１の第１の側板２００を示す図であり、図３は、組み立て式コンテナ１の第２の側板３００を示す図であり、図４（Ａ）及び図４（Ｂ）は、図１に示した組み立て式コンテナ１において、第２の側板３００を下金枠１２０（第２の枠部１２２）に沿って立設させる状態を示す図である。
【００１６】
図１に示すように、組み立て式コンテナ１は、パレット１００、下金枠１２０、床板１４０、第１の側板２００、第２の側板３００、側板ロック機構４００及び上蓋５００を有する。
【００１７】
パレット１００は、コンテナ１の搬送台である。パレット１００の側面には、フォークリフトの爪部が差し込まれるリフト用孔１０１が形成されている。本実施形態のパレット１００は、鉄、ステンレス、アルミニウム等の金属製の角柱部材、Ｌ字状部材あるいは板状部材を溶接等により連結して構成したものであるが、樹脂等により一括一体成形したものであってもよい。
【００１８】
下金枠１２０は、パレット１００の上面の周縁に沿って設置される部材であって、パレット１００上に立設される側板（第１の側板２００及び第２の側板３００）の位置を規定するとともに、これを支持するための部材である。
下金枠１２０は、第１の側板２００が立設される位置に沿って設置される第１の枠部１２１と、第２の側板３００が立設される位置に沿って設置される第２の枠部１２２とを有する。
【００１９】
第２の枠部１２２の両端部には、内側方向に向かってピン１２５が設置されている。ピン１２５は、図４に示すように、第２の側板３００を第２の枠部１２２に沿ってパレット１００上に立設する時に、第２の側板３００の下枠３０３の外面両側に形成された孔３０８に挿入される。従ってピン１２５は、第２の側板３００が第２の枠部１２２に沿って立設される時、孔３０８の位置に対応する箇所に設置される。
【００２０】
第２の側板３００が、ピン１２５が孔３０８に挿入された状態で第２の枠部１２２に沿って立設され、また、第１の側板２００が第１の枠部１２１に沿って立設され、さらに、後述する側板ロック機構４００により隣接する第１の側板２００と第２の側板３００とが上部において順次連結されることにより、４枚の側板は下金枠１２０に離脱不能に連結され、パレット１００から上方向に抜けない状態に設置される。
【００２１】
床板１４０は、図１に示すように、組み立て式コンテナ１の内部収容空間の下面を規定する板部材であり、パレット１００上の下金枠１２０で囲まれた範囲に載置される。床板１４０の材質は、特に限定されず、プラスチック段ボール板、合成樹脂板（発泡合成樹脂板を含む）、鉄、アルミニウム、ステンレス等の金属板、合板、繊維板等が用いられる。
【００２２】
第１の側板２００及び第２の側板３００は各々２枚具備されており、計４枚の側板２００、３００がパレット１００の上面周縁部に下金枠１２０に沿って立設され、パレット１００上に所望の物品を収容する内部収容空間を形成する。
２枚の第１の側板２００は、矩形のパレット１００の一方の対辺（図１に示す例では長手側の対辺）上に相互に対向するように配置され、同じく２枚の第２の側板３００は、パレット１００の他方の対辺（図１に示す例では短手側の対辺）上に同じく相互に対向するように配置される。これら第１の側板２００及び第２の側板３００は、その上部の両端部において、すなわち４角部において、後述する本発明に係る側板ロック機構４００により、隣接する側板同士が各々連結される。
【００２３】
第１の側板２００は、図２に示すように、面部材２０１の外面側の周縁に、上枠２０２、下枠２０３、及び、横枠２０４、２０５（左枠２０４、右枠２０５）が設置された構成である。また、面部材２０１の外面側の中央部には、上枠２０２と下枠２０３とを接続するように補強部材２０６が設置されている。各枠部材２０２〜２０５及び補強部材２０６は、鉄、アルミニウム、ステンレス等の金属を中空の角柱状に形成した部材である。また、面部材２０１は、プラスチック段ボール板、合成樹脂板（発泡合成樹脂板を含む）、鉄、アルミニウム、ステンレス等の金属板、合板、繊維板等の板状部材である。
【００２４】
第１の側板２００の両側の上部には、第１の側板２００を隣接する第２の側板３００に連結する側板ロック機構４００の構成の一部としてのロック金具４１０等の部材が設置されている。なお、側板ロック機構４００については後に詳述する。
また、第１の側板２００の両側の最上部には、パレット１００の四隅底部にある凹部と組み合わせることで複数の組み立て式コンテナ１を段積みするための凸部２５０が、上枠２０２の両端に設置されている。
【００２５】
第２の側板３００は、図３に示すように、面部材３０１の外面側の周縁に、上枠３０２、下枠３０３、及び、横枠３０４、３０５（左枠３０４、右枠３０５）が設置された構成である。また、面部材３０１の外面側の中央部には、上枠３０２と下枠３０３とを接続するように補強部材３０６が設置されている。上枠３０２、下枠３０３及び補強部材３０６は、鉄、アルミニウム、ステンレス等の金属を中空の角柱状に形成した部材である。また、横枠３０４、３０５は、断面Ｌ字状の鉄、アルミニウム、ステンレス等の金属部材を、一方の面が面部材３０１と平行になり、他方の面が第２の側板３００の側端縁から内側方向（隣接する第１の側板２００の方向）に延伸するような配置で面部材３０１に装着した構成である。
【００２６】
第２の側板３００の下枠３０３の外面両側には、第２の側板３００を下金枠１２０に沿ってパレット１００上に立設する時に、第２の枠部１２２の両端部に形成されたピン１２５が挿入される孔３０８が形成されている。
また、第２の側板３００の両側の上部には、第２の側板３００を隣接する第１の側板２００に連結する側板ロック機構４００の構成の一部としての開口４５０が形成されている。なお、側板ロック機構４００については、後に詳述する。
【００２７】
上蓋５００は、図１に示すように、パレット１００上に立設された第１の側板２００及び第２の側板３００により形成されるコンテナ１の内部収容空間の上部開口を閉塞する蓋部材である。上蓋５００は、例えば紙製の段ボール、プラスチック段ボール、鉄、アルミニウム、ステンレス等の金属板、合板、繊維板等により構成される。上蓋５００には、図示しないが、前記凸部２５０を通すための孔が四隅に設けられている。
【００２８】
次に、組み立て式コンテナ１の側板ロック機構４００について、さらに図５〜図８を参照して詳細に説明する。
図５〜図８は、各々、側板ロック機構４００の構成及び動作を説明するための図であり、図５（Ａ）は第１の側板２００に設置された側板ロック機構４００のロック金具４１０及びロック金具保持部４２０の構成を示す図であり、図５（Ｂ）は図５（Ａ）に示されたロック金具保持部４２０を図５（Ａ）のＸの方向から見た図であり、図６（Ａ）は側板ロック機構４００により第１の側板２００と第２の側板３００とが連結された状態を第１の側板２００の面方向から見た図であり、図６（Ｂ）は図６（Ａ）に示されたロック金具保持部４２０を図６（Ａ）のＸの方向から見た図である。
【００２９】
また、図７（Ａ）は第１の側板２００と第２の側板３００とが連結されていない状態における側板ロック機構４００付近の構成を示す斜視図であり、図７（Ｂ）は第１の側板２００と第２の側板３００とが連結された状態における側板ロック機構４００付近の構成を示す図であり、図８（Ａ）〜図８（Ｃ）は、各々、第１の側板２００の横枠（左枠）２０４のフック部通過口４４２においてロック金具４１０のフック部４１２が回動している状態を示す図である。
【００３０】
図７（Ａ）に示すように、側板ロック機構４００は、ロック金具４１０、ロック金具保持部４２０、ハンドル押え部４３０、フック部通過口４４２及びロック金具係止用開口４５０を有する。
本実施形態において、ロック金具４１０は、直径８ｍｍの金属部材で構成される。
なお、以下の説明においては、第１の側板２００の左枠２０４と第２の側板３００の右枠３０５とを連結する側板ロック機構４００を例にして説明をする。
【００３１】
側板ロック機構４００は、前述したように、パレット１００に立設された４枚の側板、すなわち各々対向配置された２枚ずつの第１の側板２００と第２の側板３００の隣接する側板の接続部上部に隣接する側板にまたがって設置され、その隣接される側板を各々連結する機構である（図１参照）。
【００３２】
具体的には、側板ロック機構４００は、図６（Ａ）及び図７（Ｂ）に示すように、第１の側板２００にロック金具保持部４２０により保持されたロック金具４１０のフック部４１２を、第２の側板３００の横枠３０４又は３０５（図５〜図７の例においては右枠３０５。）に形成された開口４５０（ロック金具係止用開口）を通過させて第２の側板３００の外側に突出させ、第２の側板３００の外側において第２の側板３００の横枠３０４又は３０５に係止させることにより、第２の側板３００と第１の側板２００を離脱不能に連結するものである。
【００３３】
この時、側板ロック機構４００においては、ロック金具４１０のハンドル部４１４の把持部４１６の先端４１７が、ハンドル押え部４３０としての第２の側板３００の横枠（右枠）３０５の側端面３２５の縁部３２６の内側（第１の側板２００の面部材２０１側）に入り込む構成となっており、ロック金具４１０のハンドル部４１４が第１の側板２００の面部材２０１から浮き上がるような移動が規制されるようになっている。これにより、ロック金具４１０は第１の側板２００の板面に密着した位置に維持され、たとえ第１の側板２００に胴膨れが生じたような場合でも、ロック金具４１０が自然に回動してフック部４１２の第２の側板３００の横枠３０４との係止状態が解除されないようになっている。
【００３４】
一方、側板ロック機構４００は、作業者が操作をすることにより、ロック金具４１０の把持部４１６の先端４１７がハンドル押え部４３０から外されると、図７（Ａ）に示すように、さらにハンドル部４１４が回動されることによりフック部４１２の第２の側板３００の横枠３０５との係止状態が解除され、第１の側板２００と第２の側板３００とは分離される。そしてこれにより、第１の側板２００及び第２の側板３００はパレット１００上から離脱可能となり、組み立て式コンテナ１は折り畳み可能な状態とされる。この際、側板ロック機構４００のロック金具４１０は、第１の側板２００の板面内に収容される。
【００３５】
側板ロック機構４００について、さらに詳細に説明する。
ロック金具４１０は、図５（Ａ）に示すように、フック部４１２、移動ロッド部４１３及びハンドル部４１４を有し、さらに、ハンドル部４１４は、接続部４１５及び把持部４１６を有する。
ロック金具４１０は、図６（Ａ）及び図７（Ｂ)に示すように、フック部４１２が第２の側板３００の横枠（右枠）３０５のロック金具係止用開口４５０から外側に突出してその近傍に係止される部材であり、これにより、横枠（右枠）３０５の板外表面を第１の側板２００の側端面（左側側端面）２１４方向に適度に引っ張った状態とし、第１の側板２００の側端面（左側側端面）２１４に第２の側板３００の横枠（右枠）３０５が当接した状態が維持し、第１の側板２００と第２の側板３００とを連結する。
【００３６】
図５（Ａ）に示すように、ロック金具４１０のフック部４１２、移動ロッド部４１３、ハンドル部４１４の接続部４１５及びハンドル部４１４の把持部４１６は、各々、順次相互に略直角をなすように形成されている。すなわちフック部４１２とハンドル部４１４の接続部４１５とが略平行で、移動ロッド部４１３に対して軸周りの角度が略同一角度（略同一方向）となるように移動ロッド部４１３に接続されており、移動ロッド部４１３とハンドル部４１４の把持部４１６とが略平行で、ハンドル部４１４の接続部４１５に対して軸周りの角度が略同一角度（略同一方向）となるようにハンドル部４１４の接続部４１５に接続されている。従ってこれらフック部４１２、移動ロッド部４１３、ハンドル部４１４の接続部４１５及びハンドル部４１４の把持部４１６は、略同一平面内に配置される構成である。
【００３７】
ロック金具４１０は、第１の側板２００の外面上角部に、第１の側板２００の板面（面部材２０１）と略平行な面内で、かつ、上枠２０２に平行な方向に移動可能に、また、その移動軸を回転軸として回転可能に、ロック金具保持部４２０により保持されて設置される。
【００３８】
ロック金具保持部４２０は、図５（Ａ）及び図５（Ｂ）に示すように、第１の側板２００の面部材２０１に対して垂直に所定の間隔で配置される２枚の垂直板面部４２１及び４２２（第１の垂直板面部４２１及び第２の垂直板面部４２２）、第２の垂直板面部４２２の第１の垂直板面部４２１とは反対側に設置され第１の側板２００の面部材２０１に対して略垂直ながら若干第２の垂直板面部４２２方向に傾斜して配置される金具押え板４２３、第１の垂直板面部４２１と第２の垂直板面部４２２とを第１の側板２００の面部材２０１とは反対側で、すなわち面部材２０１と対向する位置で接続する第１の平行板面部４２４、第２の垂直板面部４２２と金具押え板４２３とを面部材２０１の側で、すなわち面部材２０１と重なり合う配置で接続する第２の平行板面部４２５、及び、第２の垂直板面部４２２と金具押え板４２３との間に設置される金具係止ピン４２８を有する。
【００３９】
また、ロック金具保持部４２０の第１の垂直板面部４２１及び第２の垂直板面部４２２には、各々、ロック金具４１０の移動ロッド部４１３が通過する通過案内孔４２６及び４２７（第１の通過案内孔４２６及び第２の通過案内孔４２７）が形成されている。
なお、ロック金具保持部４２０の各板面部４２１〜４２５は、１枚の金属板を順次所定の角度で折り曲げ加工することにより製作することができ、そのような一体化された板部品であってもよい。
なお、本実施形態において、ロック金具保持部４２０の高さ（第１の垂直板面部４２１、第２の垂直板面部４２２の高さ）は１６ｍｍである。
【００４０】
このようなロック金具保持部４２０は、第２の平行板面部４２５が第１の側板２００の面部材２０１に貼り合わせられるような状態で第１の側板２００に設置される。その結果、第１の平行板面部４２４は、面部材２０１に対向し、第１の垂直板面部４２１と第２の垂直板面部４２２とに挟まれた移動ロッド部４１３の通過空間をカバーするような形態で配置されることになる。
【００４１】
ロック金具４１０は、移動ロッド部４１３が、第１の側板２００の横枠（左枠）２０４の内側の端面２２４に形成された通過案内口４４１、ロック金具保持部４２０の第１の垂直板面部４２１に形成された第１の通過案内孔４２６、及び、第２の垂直板面部４２２に形成された第２の通過案内孔４２７を通過するように設置されており、これにより、第１の側板２００に平行な方向に移動可能で、かつ移動ロッド部４１３の軸周りに回動可能にロック金具保持部４２０に保持されている。
【００４２】
ロック金具４１０の外側（隣接する第２の側板３００方向）への移動範囲は、図６（Ａ）に示すように、ロック金具４１０のフック部４１２が第２の側板３００の横枠（右枠）３０５のロック金具係止用開口４５０から外側に突出してその近傍に係止可能となる位置に規定される。
【００４３】
ロック金具４１０の外側への移動をこのような位置に規定するように、ロック金具保持部４２０が第１の側板２００の所定の位置に設置されている。すなわち、ロック金具４１０を外側に移動した時に、ロック金具４１０のハンドル部４１４の接続部４１５がロック金具保持部４２０の第２の垂直板面部４２２に当接してその移動が停止される位置が、ロック金具４１０のフック部４１２が第２の側板３００の横枠（右枠）３０５に係止する位置となるように、ロック金具保持部４２０を第１の側板２００に設置する。
【００４４】
また、ロック金具４１０の内側（隣接する第２の側板３００から離れる方向）への移動範囲は、図５（Ａ）に示すように、ロック金具４１０のフック部４１２が第１の側板２００の横枠（左枠）２０４の中空内部に収容された状態となる範囲内で、任意の位置に規定される。
【００４５】
ロック金具４１０の内側への移動をこのような位置に規定するように、第１の側板２００に設置されているロック金具保持部４２０の内側端部には金具押え板４２３が形成されている。すなわち、ロック金具４１０を内側に移動した時に、ロック金具４１０のハンドル部４１４の接続部４１５がロック金具保持部４２０の金具押え板４２３に当接してその移動が停止される位置が、ロック金具４１０のフック部４１２が第１の側板２００の横枠（左枠）２０４の中空内部に配置される位置となるように、ロック金具保持部４２０の金具押え板４２３の位置が設定される。
【００４６】
ロック金具４１０は、ハンドル部４１４を起こして、すなわちハンドル部４１４が第１の側板２００に略垂直になるような姿勢として、移動ロッド部４１３の軸方向外側に最大移動することにより、図６（Ａ）に示すようなフック部４１２が第２の側板３００の横枠３０５に係止可能な位置となり、その位置においてハンドル部４１４を第１の側板２００側に傾倒させることにより、フック部４１２も一体的に回動され、フック部４１２が第２の側板３００の横枠３０５に係止された状態となる。
【００４７】
コンテナを使用する際には、ロック金具４１０のハンドル部４１４を第１の側板２００に沿って第１の側板２００の面部材２０１に略密着する位置にまで倒した状態を維持する必要があるが、そのために本実施形態の組み立て式コンテナ１においては、ハンドル部４１４の把持部４１６が第１の側板２００の面部材２０１から離れる方向に移動しないように、把持部４１６の移動を規制するハンドル押え部４３０を有する。
【００４８】
ハンドル押え部４３０は、第１の側板２００との間に所定の幅の間隙を形成するように設置された部材であり、その第１の側板２００との間の隙間にロック金具４１０のハンドル部４１４の把持部４１６の先端４１７を挟持することにより、ハンドル部４１４が第１の側板２００の板面から浮き上がらないようにする部材である。ハンドル押え部４３０は、例えば第１の側板２００の外面と平行に設置された板状の部材であり、本実施形態の組み立て式コンテナ１においては、第２の側板３００の横枠（右枠）３０５の側端面３２５の縁部３２６をハンドル押え部４３０として用いる。
なお、本実施形態においては、把持部４１６は、先端４１７の５ｍｍ程度がハンドル押え部４３０としての第２の側板３００の横枠（右枠）３０５の側端面３２５の縁部３２６の下に入り込むように構成されている。先端４１７の入り込む長さは、２〜１０ｍｍが好ましく、３〜８ｍｍがより好ましい。長過ぎると操作が大変になり、短過ぎるとハンドル押えの効果を得難くなる。
【００４９】
ハンドル押え部４３０は、第１の側板２００との間にロック金具４１０の把持部４１６の先端４１７を保持する構成なので、ロック金具４１０が側板を連結する位置に配置された状態でハンドル部４１４を第１の側板２００の板面方向に傾倒させると、ハンドル部４１４の先端４１７はハンドル押え部４３０と干渉することとなる。換言すれば、そのような位置にハンドル押え部４３０は配置されている。さらに換言すれば、そのような構成となるように、ハンドル押え部４３０の位置及び把持部４１６の長さが設定されている。
【００５０】
従って、通常であればハンドル部４１４の把持部４１６がハンドル押え部４３０と第１の側板２００との間に挟持される状態にはならないが、本実施形態の組み立て式コンテナ１においては、ロック金具４１０の特にハンドル部４１４を撓ませることにより、具体的にはロック金具４１０を、一時的に、図６（Ａ）に破線で示すような位置のロック金具４１０’に弾性変形させることにより、ハンドル部４１４の把持部４１６の先端４１７をハンドル押え部４３０と第１の側板２００との間に入り込ませたり、あるいはそこから外したりする。
【００５１】
すなわち、把持部４１６の先端４１７とハンドル押え部４３０が干渉するような状態において、把持部４１６に力を作用させてハンドル部４１４を撓ませ把持部４１６の先端４１７がハンドル押え部４３０からずれた位置４１７’に移動させることにより、把持部４１６をハンドル押え部４３０の位置を通過して第１の側板２００側に移動させたり、第１の側板２００側の位置から外すように移動させたりすることができる。
【００５２】
本実施形態の組み立て式コンテナ１において、ロック金具４１０は、１本の金属棒が適宜折り曲げられた形態でフック部４１２、移動ロッド部４１３、接続部４１５及び把持部４１６が構成されており、また、ハンドル部４１４を構成する接続部４１５及び把持部４１６は、各々比較的長い部材として形成されている。従って、ハンドル部４１４は比較的撓み易く、前述したように把持部４１６の先端４１７の位置を若干ずらす作業も、通常の作業者であれば容易に行えるものである。
【００５３】
また、本実施形態の組み立て式コンテナ１においては、図５（Ａ）に示すように、ハンドル部４１４の把持部４１６の先端４１７は、Ｃ０．２〜Ｃ５で面取り加工（Ｃ面取り）されている。把持部４１６の先端４１７をこのように加工しておくことにより、ハンドル部４１４を撓ませてハンドル押え部４３０の箇所を通過させる際に、棒状部材の角が板面の端に引っ掛かる等の不具合を防ぐことができ、作業性が大幅に向上する。
【００５４】
また、ロック金具４１０のフック部４１２が第２の側板３００の横枠（右枠）３０５に係合した状態において、ハンドル部４１４の接続部４１５は、図６（Ｂ）に示すように、ロック金具保持部４２０の第２の垂直板面部４２２と金具係止ピン４２８との間を通過する位置に配置される。この時、移動ロッド部４１３との接続部付近において接続部４１５の内側への移動を規制するのは図示のごとく金具係止ピン４２８のみである。従って、例えばここに板状の部材が接続部４１５に沿って配置されている形態と比較して、接続部４１５は変形し易い状態、すなわち撓み易い状態とされている。従って、この点においてもハンドル部４１４を撓ませて把持部４１６の先端４１７をハンドル押え部４３０に係止させる作業は、容易に行うことができる。
【００５５】
側板の連結が解除されロック金具４１０が内側に移動されている時、前述したようにハンドル部４１４の接続部４１５はロック金具保持部４２０の金具押え板４２３に当接する位置に配置されるが、この時、ハンドル部４１４の接続部４１５は、図５（Ｂ）に示すように、金具係止ピン４２８と金具押え板４２３との間に配置される。前述したように、本実施形態の組み立て式コンテナ１において、金具押え板４２３は金具係止ピン４２８方向に傾斜するように配置されているため、金具押え板４２３と金具係止ピン４２８との間に配置された棒状部材（接続部４１５）は、確実にこの位置に維持される。
なお、本実施形態において、金具押え板４２３は、５°〜２０°の傾斜角度で金具係止ピン４２８側に傾斜されている。
【００５６】
前述したように、ハンドル部４１４を撓ませ易くするためにはロック金具保持部４２０の構成として第２の垂直板面部４２２と金具押え板４２３との間にはピンのような部材（金具係止ピン４２８）を配するのが好適であるが、ロック金具４１０をロック金具保持部４２０で保持するという点からは、金具押え板４２３と対向配置するのはピンよりも板状部材の方が望ましい。挟持した部材を安定して保持できるからである。
しかしながら本実施形態の組み立て式コンテナ１では、解除状態でロック金具４１０の接続部４１５を保持する金具押え板４２３が金具係止ピン４２８側に傾斜しているので、通常より強固に確実に接続部４１５を保持することができ、金具押え板４２３に対向配置して接続部４１５を挟持する相手方部材として金具係止ピン４２８を用いたとしても、ロック金具保持部４２０の保持能力は何ら落ちることがなく、ハンドル部４１４（接続部４１５）を確実に保持することができる。
【００５７】
図５（Ａ）に示すように、第１の側板２００の横枠（左枠）２０４の内側側面２２４にはロック金具４１０の移動ロッド部４１３が通過する通過案内口４４１が形成されている。
また、第１の側板２００の横枠（左枠）２０４の外側の側面（第１の側板２００の左側側端面）２１４には、ロック金具４１０のフック部４１２が通過可能なフック部通過口４４２が形成されている。フック部通過口４４２は、横枠（左枠）２０４の側端面（左側側端面）２１４に形成される側端面側開口４４３と、これに連続した形態で横枠（左枠）２０４の外側表面２３４に形成される表面側開口４４４とを有する。
【００５８】
側端面側開口４４３は、実際にロック金具４１０のフック部４１２が通過する開口である。側端面側開口４４３は、フック部４１２の長手方向が水平方向に配置された状態（水平姿勢）で通過可能な形態であれば任意のサイズで任意の形状でよい。本実施形態においては、側端面側開口４４３に接続される後述する第２の側板３００の横枠（右枠）３０５に形成されるロック金具係止用開口４５０の表面側開口４５１と略同様の形状、すなわち、ロック金具４１０のフック部４１２が長手方向を水平方向にした姿勢で通過可能な水平方向が長手方向となるような形状の開口である。
【００５９】
また、表面側開口４４４は、ロック金具４１０のフック部４１２が長手方向を略垂直方向として第１の側板２００の横枠（左枠）２０４の中空内部に収容されている状態から、フック部４１２を側端面側開口４４３から外側に出すために、ロック金具４１０が移動ロッド部４１３周りに回転されてフック部４１２が長手方向が水平方向となるように回転された時に、フック部４１２の先端部が横枠（左枠）２０４の表面側の板面に干渉するのを防ぐための切り欠きである。
【００６０】
フック部４１２の長手方向の長さ、正確には、フック部４１２の長手方向を面上に有するフック部４１２の中央断面内でとり得る最も長い線分の長さ（略長方形の対角線の長さ）Ｌが、横枠（左枠）２０４の中空内部の幅よりも短ければこのような切り欠きがなくとも、フック部４１２は横枠（左枠）２０４の内部で任意の姿勢に回転可能であるが、本実施形態においては、長さＬは、横枠（左枠）２０４の中空内部の幅と同等もしくはそれより長い長さを有するものとする。従って、このような表面側開口４４４がなければ、横枠（左枠）２０４に収容されたフック部４１２を回転させた際に横枠（左枠）２０４の表面側の板面に干渉する可能性がある。換言すれば、フック部４１２の長さが長くとも、その長さに対応した必要なサイズ（垂直方向の長さ）の表面側開口４４４が確保されていれば、フック部４１２は、長手方向の先端を垂直方向下向きにした姿勢（垂直姿勢）と、長手方向の先端を水平方向の表面側開口４４４向きにした姿勢（水平姿勢）との間で回動させることが可能である。なお、フック部４１２自体の長さを横枠（左枠）２０４の中空内部の幅と同等以下とすることで、移動ロッド部４１３を水平方向に移動させた際にフック部４１２と横枠（左枠）２０４の中空内部とが干渉しないため、表面側開口４４４を小さくし、コンテナ１の強度を高くすることができる。
【００６１】
このように、フック部通過口４４２の表面側開口４４４は、横枠（左枠）２０４の中空内部の幅よりも長いか又は略等しい長さのフック部４１２を、垂直方向から水平方向に、あるいは水平方向から垂直方向に回動可能にするための切り欠きである。
また、ロック金具４１０は、フック部４１２が横枠（左枠）２０４の最も外側にある時に、表面側開口４４４の箇所において垂直方向から水平方向に回動されて、側端面側開口４４３を介して外部に突出され、第１の側板２００と第２の側板３００との連結に供される。また、ロック金具４１０を格納する時には、フック部４１２を水平にして側端面側開口４４３から横枠（左枠）２０４の内部に導入した後に、フック部４１２が表面側開口４４４の位置にある時に、これを水平方向から垂直方向に回動させて、フック部４１２を左枠２０４の中空内部に収容する。このような構成とすることにより、フック部４１２の長さを、横枠（左枠）２０４の中空内部の幅よりも長くすることも可能である。このとき、移動ロッド部４１３の水平方向の移動を確保するために、表面側開口４４４は、移動ロッド部が移動する分、水平方向にも開けられていることが好ましい。
【００６２】
側板ロック機構４００は、また、第２の側板３００の横枠（右枠）３０５に形成されるロック金具係止用開口４５０を有する。
ロック金具係止用開口４５０は、横枠（右枠）３０５の外側表面３３５に形成される表面側開口４５１と、これに連続した形態で横枠（右枠）３０５の側端面３２５に形成される側端面側開口４５２とを有する。
【００６３】
第１の側板２００及び第２の側板３００をパレット１００上に立設し、第２の側板３００を第１の側板２００の側端面（左側側端面）２１４に当接するように配設した場合には、第２の側板３００に形成されるロック金具係止用開口４５０の表面側開口４５１は、第１の側板２００に形成されるフック部通過口４４２の側端面側開口４４３と実質的に重なりあって開口は接続され、また、ロック金具係止用開口４５０の側端面側開口４５２は、フック部通過口４４２の表面側開口４４４と実質的に重なりあって開口は接続される。
【００６４】
従って、ロック金具係止用開口４５０の表面側開口４５１は、ロック金具４１０のフック部４１２が通過して外部に導出される開口である。表面側開口４５１は、フック部４１２の長手方向が水平方向に配置された状態で通過可能な形状に形成される。フック部４１２が表面側開口４５１を通過して外部に導出された後、長手方向が垂直方向となるように回動されることにより、フック部４１２の先端部が第２の側板３００の横枠（右枠）３０５のロック金具係止用開口４５０近傍の板面を係止することとなり、第２の側板３００と第１の側板２００とが連結される。
【００６５】
また、側端面側開口４５２は、ロック金具４１０のフック部４１２が長手方向を略垂直方向として第１の側板２００の横枠（左枠）２０４の中空内部に収容されている状態と、フック部４１２が長手方向が水平方向となってロック金具係止用開口４５０の表面側開口４５１を通過可能な状態との間で回動される時に、フック部４１２の先端部が横枠（右枠）３０５の側端面３２５側の板面に干渉するのを防ぐための切り欠きである。
側端面側開口４５２の作用は、前述したフック部通過口４４２の表面側開口４４４の作用と同じであるが、フック部４１２の長さがさほど長くない場合であって、第１の側板２００の横枠（左枠）２０４の外側表面２３４に形成された切り欠き（表面側開口４４４）のみで、フック部４１２が垂直方向と水平方向との間で回動が可能な場合には、ロック金具係止用開口４５０の側端面側開口４５２は形成されていなくてもよい。あるいはまた、フック部通過口４４２の表面側開口４４４よりも小さい開口でよい。
【００６６】
次に、側板ロック機構４００の動作について、側板ロック機構４００のフック部４１２の姿勢についてさらに図８を参照しながら、詳細に説明する。
まず、このような構成の側板ロック機構４００において、組み立て式コンテナ１が使用されず、第１の側板２００及び第２の側板３００がパレット１００の上に折り畳まれている時には、ロック金具４１０は、図５（Ａ）あるいは図７（Ａ）に示すように、ハンドル部４１４がロック金具保持部４２０の金具係止ピン４２８と金具押え板４２３との間に挟持される。この時、金具押え板４２３は開口側で金具係止ピン４２８方向に傾斜しており、金具押え板４２３と金具係止ピン４２８との間の開口は狭くなっているため、ロック金具４１０の接続部４１５は確実に金具押え板４２３と金具係止ピン４２８との間に挟持される。従って、組み立て式コンテナ１の不使用時等に、ロック金具４１０が不用意に動くことを防止することができる。
【００６７】
またこの際、ロック金具４１０のフック部４１２は第１の側板２００の左枠２０４の中空内部に収容された状態とされる。この時フック部４１２は、図９（Ａ）に符号４１２ａで示すように、第１の側板２００の横枠（左枠）２０４の内部に略垂直下向きの姿勢で収容されている。
【００６８】
そして、第１の側板２００及び第２の側板３００をパレット１００上に立設してこれを連結する場合には、まず、ロック金具４１０のハンドル部４１４の把持部４１６を持ち上げてロック金具４１０を移動ロッド部４１３周りに回転させ、ハンドル部４１４の接続部４１５をロック金具保持部４２０の金具押え板４２３と金具係止ピン４２８との間から引き出す。そしてハンドル部４１４を、ハンドル部４１４がロック金具保持部４２０の各部と干渉せず移動ロッド部４１３の軸方向に移動可能な状態となるまで第１の側板２００の板面から引き起こす。
【００６９】
ロック金具４１０のフック部４１２自体の長さが第２の側板３００の左枠３０４の中空内部の幅と同等以上の長さを有する場合について、以下に説明する。フック部４１２（ロック金具４１０）は、水平状態まで引き起こされるには至らず、例えば図８（Ａ）及び図８（Ｂ）に符号４１２ｂで示すような状態、すなわち、フック部４１２が横枠（左枠）２０４の内面に当接した状態でロック金具４１０の回動が制限される。
【００７０】
このような状態となったら、ロック金具４１０のハンドル部４１４を第２の側板３００方向に押して、ロック金具４１０を移動ロッド部４１３に沿って第２の側板３００方向に移動させる。
その結果、側板ロック機構４００の先端のフック部４１２が横枠（左枠）２０４の側端面（左側側端面）の内側に当接することとなり、ここでロック金具４１０の外側への水平移動が制限される。
【００７１】
この状態においては、側板ロック機構４００のフック部４１２は、第１の側板２００の横枠（左枠）２０４及び第２の側板３００の横枠（右枠）３０５において、フック部通過口４４２の表面側開口４４４及びロック金具係止用開口４５０の側端面側開口４５２が形成されている位置に達していることになる。従って、フック部４１２の回動を制限する部分の板部材が切り欠かれている（側端面側開口４５２及び表面側開口４４４）ので、フック部４１２（ロック金具４１０）が水平な姿勢になるまで、すなわち、ロック金具４１０のハンドル部４１４が略水平な姿勢になるまで回動可能となる。
すなわち図８（Ｂ）及び図８（Ｃ）に符号４１２ｃで示す姿勢を経て、さらに、フック部４１２が完全に水平になった図８（Ｃ）に符号４１２ｄで示す姿勢にまで回動が可能となる。
【００７２】
この状態となったら、次に、ロック金具４１０はさらに外側へ水平移動が可能となるので、略水平姿勢となったロック金具４１０のハンドル部４１４をさらに外側に押して、フック部４１２をフック部通過口４４２の側端面側開口４４３及びロック金具係止用開口４５０の表面側開口４５１を通過させて第２の側板３００の横枠（右枠）３０５の外側にまで突出させる。
【００７３】
この状態となったら、次に、ロック金具４１０のハンドル部４１４を今度は第１の側板２００の板面方向に倒し、ロック金具４１０を移動ロッド部４１３周りに回動させて垂直姿勢に近づける。
これにより、ロック金具４１０のフック部４１２はロック金具係止用開口４５０の周囲の横枠（右枠）３０５の板部分に係止することとなり、第２の側板３００と第１の側板２００とは離脱不能に連結される。
【００７４】
しかしながら、ロック金具４１０が結合位置に配置された時、ロック金具４１０のハンドル部４１４の把持部４１６の先端部４１７は、ハンドル押え部４３０としての第２の側板３００の横枠（右枠）３０５の側端面３２５の縁部３２６の外側に配置されることとなる。従って、把持部４１６の先端部４１７は第２の側板３００の横枠（右枠）３０５の縁部３２６と干渉して、第１の側板２００の面部材２０１表面にまで到達できない。
【００７５】
この状態となったら、図６（Ａ）に示すように、ロック金具４１０の把持部４１６を第１の側板２００の内側方向に移動させるように作業者が力を作用させる。すなわち、把持部４１６の先端部４１７が、第２の側板３００の横枠（右枠）３０５の縁部３２６と干渉しない位置４１７’となるようにその位置をずらすように力をかける。その結果、ロック金具４１０は符号４１４’で示すような形状に撓み、把持部４１６の先端部４１７は第２の側板３００の横枠（右枠）３０５の縁部３２６と干渉しない位置４１７’にずれる。
【００７６】
その状態で、ロック金具４１０のハンドル部４１４（把持部４１６）を第１の側板２００の表面方向にさらに倒す。その結果、ロック金具４１０は第１の側板２００の表面に接する姿勢にまで倒れる。
この状態となったら、作業者はロック金具４１０のハンドル部４１４（把持部４１６）に作用させていた力を解除する。すなわち、手を把持部４１６から離す等してロック金具４１０を自由な状態とする。
その結果、ロック金具４１０のハンドル部４１４の変形は解除され、ロック金具４１０のハンドル部４１４の把持部４１６の先端部４１７は、第１の側板２００と連結されて第１の側板２００の板面上に被さるように配置される第２の側板３００の横枠（右枠）３０５の側端面３２５の縁部３２６よりも内側、すなわち第１の側板２００側に入り込むこととなる。
【００７７】
このような状態においては、仮に第１の側板２００に胴膨れが生じたとしても、ロック金具４１０のハンドル部４１４が第１の側板２００の表面から遊離した状態で起き上がることは防止され、そのような場合も側板ロック機構４００が自然に解除されることはない。
【００７８】
組み立て式コンテナ１の材質については、一部は既に述べたが、上蓋５００は紙製段ボールが好ましく、その他の部分については、鉄、ステンレス、アルミニウム等の金属が好ましく、鉄が特に好ましい。上蓋は強度を必要としないため、軽量で安価な紙製段ボールが好ましく、その他の部分については、製作のし易さと、強度が高いこと、及び、安価なことから、鉄製とすることが特に好ましい。
【００７９】
最後に、組み立て式コンテナ１の使用形態についてまとめて説明する。
前述したような構成の組み立て式コンテナ１においては、物品を収容せずに保管あるいは回送される時には、パレット１００上に、各々２枚の第１の側板２００及び第２の側板３００が折り込まれて、さらにその上に上蓋５００が載置されて、さらに複数の組み立て式コンテナ１が順次段積みされる等して保管等される。
【００８０】
このような組み立て式コンテナ１を使用する、すなわち所望の物品を収容する場合には、まず、２枚の第２の側板３００を下金枠１２０の第２の枠部１２２に沿って対向するように立設する。この時、下金枠１２０に形成されているピン１２５を、第２の側板３００の下枠３０３に形成されている孔３０８に挿入して、第２の側板３００を第２の枠部１２２に沿って配置することにより、第２の側板３００が下金枠１２０から上方向に抜けないように設置する。
【００８１】
第２の側板３００を配置したら、対向配置された第２の側板３００の各端部を接続するように、２枚の第１の側板２００をその間に対向配置する。第１の側板２００は、下金枠１２０の第１の枠部１２１に沿ってパレット１００に立設する。
この状態において、第１の側板２００に設置されているロック金具４１０を前述したように操作し、隣接する第１の側板２００と第２の側板３００とを順次結合していく。
その結果、４枚の側板は各々連結されて一体化され、また、その結果、４枚の側板と下金枠１２０及びパレット１００とも連結されて一体化されたこととなり、任意の物品を適切に収容して保護することのできる組み立て式コンテナ１の内部収容空間が構成される。
【００８２】
このように、本実施形態の組み立て式コンテナ１は、容易に組み立て及び解体が可能であり、組み立てた時には、任意の被収容物を内部に適切に収容することができる。また、解体した時には容積を小さくすることができる。そして、その組み立て及び解体は、側板ロック機構４００としてのロック金具４１０を操作することにより簡単に行え、効率よく作業を行うことができる。
【００８３】
そして特に本実施形態の組み立て式コンテナ１では、ロック金具４１０のハンドル部４１４の把持部４１６の先端部４１７を、第２の側板３００の横枠（右枠）３０５の縁部３２６の該当箇所（ハンドル押え部４３０）で押え込んでいるので、仮に側板に胴膨れが生じたとしても、ロック金具４１０のハンドル部４１４が第１の側板２００の表面から遊離した状態で起き上がることは防止され、そのような場合も側板ロック機構４００が解除されることはなく、側板が分離するような事態は避けることができる。
【００８４】
また、そのような胴膨れが生じた場合も、ロック金具４１０のハンドル部４１４が起き上がることがないので、ハンドル部４１４が周囲の物品に損傷を与えたり、作業者に当たって怪我をさせる等の事態を防ぐことができ、安全性の高い組み立て式コンテナ１を実現できる。
【００８５】
また、本実施形態においては、ハンドル部４１４の把持部４１６の先端４１７を押えるハンドル押え部４３０は、第２の側板３００の横枠（右枠）３０５の側端面３２５の縁部３２６を用いている。従って、新たな部材の追加を少なくすることができ、構成を複雑にすることも回避することができる。
【００８６】
また、本実施形態の組み立て式コンテナ１においては、側板を係止するためにロック金具４１０を回動する時にフック部４１２が干渉する部分に、第１の側板２００の横枠（左枠）２０４の表面側開口４４４、及び、第２の側板３００の横枠（右枠）３０５の側端面側開口４５２という形態で切り欠きを形成し、干渉を回避するようにし、実際に第１の側板２００と第２の側板３００とを連結するロック金具４１０のフック部４１２の長さを長くした。従って、側板同士を係止する作用領域が長くなり、側板同士をより安定して連結することができる。
【００８７】
ロック金具４１０のフック部４１２は、比較的短い長さの部分で他方の側板（第２の側板３００）を一方の側板（第１の側板２００）に係止しており、少しでもフック部４１２の長さが長くなり、係止する領域が長くなることは、側板同士を安定して連結することに非常に有効である。従って、本実施形態の組み立て式コンテナ１においてフック部４１２の長さが少しでも長くなったことは、組み立て式コンテナ１の安定的使用を可能にし、信頼性を向上させる点において極めて有効である。
【００８８】
また、本実施形態の組み立て式コンテナ１においては、フック部４１２の長さが長くなっても、組み立て式コンテナ１を折り畳んだ時にはこれを第１の側板２００の内部に収容することができる。従って、折り畳んだ時にも、ロック金具４１０等のパーツが外に突出した状態を避けることができ、そのような突出したパーツが作業の邪魔となるのを防ぎ、効率よく作業が行える。また、そのような突出したパーツが作業者の作業服やズボン等を引っ掛ける等の事態を避けることができ、作業を安全に行うことができる。
【００８９】
なお、前述した実施形態は、本発明の理解を容易にするために記載されたものであって本発明を何ら限定するものではない。本実施形態に開示された各要素は、本発明の技術的範囲に属する全ての設計変更や均等物を含み、任意好適な種々の改変が可能である。
【００９０】
例えば、前述した実施形態の側板ロック機構４００においては、側板が結合されていない時のロック金具４１０のフック部４１２は第１の側板２００の横枠（左枠）２０４の中空内部に収容されていた。しかしながら、ロック金具４１０のフック部４１２が第１の側板２００の左枠２０４から完全に抜き出され、第１の側板２００の面部材２０１上に退避されるような形態でもよい。
【００９１】
そのような形態の側板ロック機構４００ｂを図９に示す。図９に示す側板ロック機構４００ｂにおいては、ロック金具保持部４２０ｂにおいて、第２の垂直板面部４２２と金具押え板４２３との間を連結する第２の平行板面部４２５ｂが前述した実施形態よりも長くなっている。その結果、ロック金具４１０を解除した状態において、ロック金具４１０の内側への移動範囲が広くなり、その結果、ロック金具４１０のフック部４１２は第１の側板２００の左枠２０４の中空内部から抜き出され第１の側板２００の面部材２０１上にまで移動している。本発明は、このような形態で適用してもよい。
【００９２】
また、前述した実施形態において、ハンドル部４１４の把持部４１６の先端４１７を押えるハンドル押え部４３０は、第２の側板３００の横枠（右枠）３０５の側端面３２５の縁部３２６を用いる構成であった。しかしながら、ハンドル押え部４３０として横枠（右枠）３０５を用いる必要はなく、第１の側板２００に、別途独立したハンドル押え部４３０を具備する構成でもよい。
【００９３】
また、そのような場合のハンドル押え部４３０の構成は、板状の部材に限られず、ロック金具４１０の起き上がりを阻止できる構成であれば、任意の構成でよい。
【００９４】
また、前述した実施形態において、ロック金具４１０のハンドル部４１４の把持部４１６の先端４１７には、Ｃ面取りを施していた。しかしながら、Ｒ面取りを施してもよいし、その他任意の手段により、把持部４１６がハンドル押え部４３０の箇所を通過し易い構成としてよい。
【産業上の利用可能性】
【００９５】
本発明は、任意の物品を収容し保管、搬送等する組み立て式コンテナに適用することができる。特に、内部収容空間にコンテナが胴膨れする程満載することができる収容物を収容する組み立て式コンテナ、例えばゴム材料等を収容する組み立て式コンテナに利用して好適である。
【符号の説明】
【００９６】
１…組み立て式コンテナ
１００…パレット
１０１…リフト用孔
１２０…下金枠
１２１…第１の枠部
１２２…第２の枠部
１２５…ピン
１４０…床板
２００…第１の側板
２０１…面部材
２０２…上枠
２０３…下枠
２０４…横枠（左枠）
２１４…側端面（左側側端面）
２２４…内側側面
２３４…外側表面
２０５…横枠（右枠）
２０６…補強部材
２５０…凸部
３００…第２の側板
３０１…面部材
３０２…上枠
３０３…下枠
３０４…横枠（左枠）
３０５…横枠（右枠）
３２５…側端面
３２６…縁部
３３５…外側表面
３０６…補強部材
３０８…孔
４００…側板ロック機構
４１０…ロック金具
４１２…フック部
４１３…移動ロッド部
４１４…ハンドル部
４１５…接続部
４１６…把持部
４１７…先端部
４２０…ロック金具保持部
４２１…第１の垂直板面部
４２２…第２の垂直板面部
４２３…金具押え板
４２４…第１の平行板面部
４２５…第２の平行板面部
４２６…第１の通過案内孔
４２７…第２の通過案内孔
４２８…金具係止ピン
４３０…ハンドル押え部
４４１…通過案内口
４４２…フック部通過口
４４３…側端面側開口
４４４…表面側開口
４５０…ロック金具係止用開口
４５１…表面側開口
４５２…側端面側開口
５００…上蓋
【図１】
0005471071.tif 000002
【図２】
0005471071.tif 000003
【図３】
0005471071.tif 000004
【図４】
0005471071.tif 000005
【図５】
0005471071.tif 000006
【図６】
0005471071.tif 000007
【図７】
0005471071.tif 000008
【図８】
0005471071.tif 000009
【図９】
0005471071.tif 000010